(57)【要約】  特にはエアバック用の４ピンまたは５ピンの電気プラグコネクタ（１００）用である電気プラグコネクタ（１００）用のプラグコネクタハウジング（１０１）であって、プラグコネクタハウジング１０１上または内部で、電気コンタクト部材（１０）とケーブル（３０）とを固定する固定部材（１１０）とを含み、前記電気コンタクト部材は、前記固定部材によって前記プラグコネクタハウジング内に固定可能であり、前記ケーブルは、前記固定部材によって前記プラグコネクタハウジング上にクランプ可能なことを特徴とするプラグコネクタハウジングである。さらに、本発明の目的は、電気コネクタ（１００）と本発明に係るプラグコネクタハウジング（１０１）への電気プラグイン接続体（１）によって実現される。【選択図】図３
2010529605.tif 000002
【特許請求の範囲】
【請求項１】
特にはエアバック用の４ピンまたは５ピンの電気プラグコネクタ（１００）用である電気プラグコネクタ（１００）用のプラグコネクタハウジング（１０１）であって、
前記プラグコネクタハウジング上または内部で、電気コンタクト部材（１０）とケーブル（３０）とを固定する固定部材（１１０）とを含み、
前記電気コンタクト部材は、前記固定部材によって前記プラグコネクタハウジング内に固定可能であり、
前記ケーブルは、前記固定部材によって前記プラグコネクタハウジング上にクランプ可能なことを特徴とするプラグコネクタハウジング。
【請求項２】
前記固定部材は、前記プラグコネクタハウジング内の前記固定部材のロック位置で、前記電気コンタクト部材がロック可能とされるロック部材（１１４）を有し、
かつ、前記固定部材は、前記プラグコネクタハウジング上の前記固定部材のクランプ位置で、前記ケーブルが固定されるクランプ部材（１２２）を備えることを特徴とする請求項１に記載のプラグコネクタハウジング。
【請求項３】
前記固定部材は、前記プラグコネクタハウジングと、好適には物質的に１部材で構成されることを特徴とする請求項１または２に記載のプラグコネクタハウジング。
【請求項４】
前記ロック部材は、好適にはフィルムヒンジである第一ヒンジ（１１２）を介して、前記プラグコネクタハウジングに接続され、
前記クランプ部材は、好適にはフィルムヒンジである第二ヒンジ（１２０）を介して、前記プラグコネクタハウジングに接続され、
前記クランプ部材は、前記第二ヒンジを介して前記ロック部材に接続され、
前記ロック部材は、前記第一ヒンジによって、前記プラグコネクタハウジングに接続されることを特徴とする請求項１から３のいずれか１つに記載のプラグコネクタハウジング。
【請求項５】
前記固定部材の前記ロック部材は、前記プラグコネクタハウジングの前記電気コンタクト部材用のコンタクトチャンバ壁（１５２）内の貫通凹部（１５８）を通じて挿入可能なロックラグ（１１８）を有し、
前記電気コンタクト部材は、前記ロック部材のロック位置に前記ロックラグによってロック可能なことを特徴とする請求項１から４のいずれか１つに記載のプラグコネクタハウジング。
【請求項６】
前記固定部材の前記クランプ部材は、前記ケーブルを固定可能なクランプ手段（１２６）を有し、
前記クランプ部材の前記クランプ手段は、前記ケーブルをクランプ可能な溝（１２７）を備えることを特徴とする請求項１から５のいずれか１つに記載のプラグコネクタハウジング。
【請求項７】
前記クランプ手段は、前記ケーブルをクランプするために、前記プラグコネクタハウジングの一部と相互作用することを特徴とする請求項１から６のいずれか１つに記載のプラグコネクタハウジング。
【請求項８】
前記固定部材の前記ロック部材と前記固定部材の前記クランプ部材は、各々の閉位置で前記プラグコネクタハウジング上の一方の上に他方が配置されることを特徴とする請求項１から７のいずれか１つに記載のプラグコネクタハウジング。
【請求項９】
前記固定部材の前記クランプ部材は、断面で略Ｕ字形状となるように、前記固定部材の前記ロック部材に接続され、
好適には前記固定部材の前記ロック部材が、断面で略Ｕ字形状となるように、前記プラグコネクタハウジングの壁に接続されていることを特徴とする請求項１から８のいずれか１つに記載のプラグコネクタハウジング。
【請求項１０】
前記第一ヒンジは、前記固定部材の前記ロック部材の一部であり、および／または、前記第二ヒンジは、前記固定部材の前記クランプ部材の一部であることを特徴とする請求項１から９のいずれか１つに記載のプラグコネクタハウジング。
【請求項１１】
電気コネクタ（１００）であって、
好適にはソケットコンタクトである電気コンタクト部材（１０）と、前記電気コンタクト部材に電気的に接続されるケーブル（３０）と、
請求項１から１０のいずれか１つに記載のプラグコネクタハウジングと、を含むことを特徴とする電気コネクタ。
【請求項１２】
クロックスプリング接続用または特には自動車用であるエアバックの連結用の電気プラグイン接続体（１）であって、
請求項１１に記載の電気コネクタ（１００）と、前記電気コネクタと対応する相手電気プラグコネクタ（２００）と、を含むことを特徴とする電気プラグイン接続体。
【発明の詳細な説明】
【技術分野】
【０００１】
本件は、エアバック（特には、自動車用のエアバック）の電気プラグコネクタ用のソケットコネクタハウジングまたはピンコネクタハウジングなどのプラグコネクタハウジングに関する。さらに本発明は、電気プラグコネクタまたは相手の電気プラグコネクタに関する。また、本発明は電気プラグイン接続体に関し、特には電気クロックスプリング接続または電気連結器用の電気プラグイン接続体に関し、本発明に係るプラグコネクタハウジングまたは電気プラグコネクタと相手のプラグコネクタハウジングまたは相手の電気プラグコネクタへの対応する電気プラグイン接続体に関する。
【背景技術】
【０００２】
電気ケーブルおよび端子と解除可能・機械的・電気的接続用の電気プラグコネクタまたはプラグイン接続は、多くの実施形態によって知られている。プラグコネクタにおいては、ケーブルは、圧着および／または圧縮溶接によって通常機械的かつ電気的に、電気コンタクト部材（ソケットまたはピンコンタクト）に接続され、電気コンタクト部材はプラグコネクタハウジングのコンタクトチャンバ内に配置・ロックされる。
【０００３】
電気プラグコネクタは、例えば自動車などの例えば周囲の過酷な状況によるケーブル移動および／またはケーブル振動のようなケーブルの負荷がケーブルと電気コンタクト部材間の電気接続にもプラグイン部材の二つの接触部材間の電気接続にも伝達されない必要性に合うように求められている。電気プラグコネクタやプラグイン接続に作用する機械的な負荷は、電気コンタクト部材に接続されたケーブルを妨害するために、電気プラグコネクタ後にまたはプラグイン接続前および後に配置された分離材によって区画された状態とされるが、このことは部材数・コスト・組み立ての複雑さの増加を招く。
【０００４】
ドイツ国公開特許ＤＥ４０１５７９３号公報は、加圧水すなわちホースの水から保護され、ケーブル挿入スロットが備えられた外部ケーブルマウントがシールされた電気ケーブルを保持するようにしてなされた電気プラグコネクタ、さらにキャップとして構成され、外部からケーブルマウントに装着可能なシールが開示されている。電気プラグコネクタの電気コンタクト部材は、従来の方法であり、ケーブルマウントによって保持されているのではない。
【０００５】
米国特許第４２００３５０号明細書は、蓋（ｌｉｄ）の自由端に備えられ、蓋が閉められたときハウジング上の対応アパーチャ（ａｐｅｒｔｕｒｅ）と共に電気ケーブル用のそれぞれのコンジットを形成するプラグコネクタハウジングと、１部材で構成された略Ｌ字形状で回転可能な蓋を含む電気プラグコネクタを開示している。アパーチャと分離している蓋とハウジングの中間部材は、並進方向に電気プラグコネクタ中に備えられた電気コンタクト部材を固定する。しかし、ケーブルは、蓋が閉じられる際に固定されてはいない。
【発明の概要】
【発明が解決しようとする課題】
【０００６】
本発明の目的は、改善された電気プラグコネクタ用のプラグコネクタハウジングまたは改善された電気プラグコネクタを提供することである。特に、パーツ数・コスト・組立体の複雑さを低減しつつ、プラグコネクタハウジング上／内に電気コンタクト部材およびケーブルの固定を提供することが本発明の目的である。好適には、単一の固定部材によってなされる。さらに本発明は、本発明に係る電気プラグコネクタへの電気プラグイン接続体および対応する相手電気プラグコネクタを提供することを目的とする。
【０００７】
本発明の目的は、請求項１に記載のプラグコネクタハウジング、請求項１１に記載の電気プラグコネクタ、請求項１２に記載の電気プラグイン接続体によって得られる。
【課題を解決するための手段】
【０００８】
本発明に係るプラグコネクタハウジングは、プラグコネクタハウジング内／上での電気コンタクト部材固定用且つケーブル固定用の１以上のパーツから構成された単一固定部材を有する。本発明において、前記固定部材は、前記電気コンタクト部材が前記プラグコネクタハウジング内に保持されることが可能になると同時に、前記ケーブルが前記プラグコネクタハウジング上に固定可能である。
【０００９】
本発明の好適な実施形態において、前記固定部材は、電気コンタクト部材の固定用のロック部材および前記ケーブル固定用のクランプ部材を備える。これによって、電気コンタクト部材は、前記固定部材または前記ロック部材のロック位置でのプラグコネクタハウジング内で固定可能とされる。さらに、ケーブルは、前記固定部材または前記クランプ部材の固定位置においてプラグコネクタハウジングに固定可能とされている。
【００１０】
本発明の好適な実施形態において、前記固定部材、すなわちロック部材のみまたはクランプ部材のみ、またはその両方が１部材（特に物質的に１部材）で前記プラグコネクタハウジングに接続されている。後者の実施形態において、前記プラグコネクタハウジングと（物質的に）１部材で直接それぞれのロック部材およびクランプ部材を構成することができ、前記プラグコネクタハウジングと１部材で構成されているロック部材と（物質的に）１部材でクランプ部材を提供することもできる。
【００１１】
本発明に係るプラグコネクタハウジングは、簡易および迅速な製造方法によってなされる。さらに、本発明に係るプラグコネクタハウジングは、シングルインジェクション成型品、全体的に低背で小型設計を可能とする。特に、電気コンタクト部材を含むプラグコネクタハウジングの設計は、電気コンタクト部材を前記プラグコネクタハウジング内に、一方で、そしてケーブルを前記プラグコネクタハウジング上にもう一方で固定するためのケーブルタイ、螺旋ストラップ（Ｗｉｎｄｉｎｇ  Ｓｔｒａｐ）のような付加パーツは不要であるという利点がある。これによって、製造容易性や構造により、コンタクト部材とプラグコネクタハウジングへのフリーアクセスの有利性を提供する。さらには、本発明に係るケーブル固定具は、さらにストレインリリーフ部材として活用できる。
【００１２】
本発明は、電気プラグイン接続体のソケットおよび／またはプラグ内に容易に実施され、それゆえに、例えば浮動電気連結（ｆｌｏａｔｉｎｇ  ｅｌｅｃｔｒｉｃａｌ  ｃｏｕｐｌｉｎｇ）のような前記電気プラグイン接続体の両サイドに本発明に係るケーブル固定具を効果的に提供できる。
【００１３】
本発明に係る好適な実施形態において、固定部材は、第一ヒンジ（より好適にはフィルムヒンジ）を介してプラグコネクタハウジングに対して回動する。本実施形態については、前記固定部材のロック部材およびクランプ部材が第二ヒンジ（より好適にはフィルムヒンジ）を介して互いに結合されるとより好適である。本実施形態については、前記ロック部材は、前記第一ヒンジ（より好適にはフィルムヒンジ）を介して前記プラグコネクタハウジングに接続され、かつ、前記クランプ部材が第二ヒンジ（より好適にはフィルムヒンジ）を介して前記ロック部材に接続されるとさらに好適である。換言すれば、前記クランプ部材は、前記ロック部材に機械的に接続する。クランプ部材およびロック部材は、本発明に係る前記固定部材を形成し、ロック部材は前記プラグコネクタハウジングに統合されている。
【００１４】
より好適には、クランプ部材およびロック部材は、各々が互いに背反してまたは互いに配置可能な略正平行六面体のタブとして構成される。ここでロック部材およびクランプ部材が、互いに背反して位置されている場合、それぞれロック位置およびクランプ位置につく。
【００１５】
クランプ部材およびロック部材の両者が、それぞれの開位置（前記ロック部材がロック位置になく、かつ前記クランプ部材がクランプ位置にない位置）にある場合には、クランプ部材およびロック部材は、横から見て前記プラグコネクタハウジングの隣接壁とともに略Ｓ字状に構成される。この場合、前記クランプ部材は、円弧形状（より好適には約１８０度のＵ字形状）の前記ロック部材と結合し、前記ロック部材は、円弧形状（より好適には約１８０度のＵ字形状）の前記電気プラグコネクタの壁と結合する。より好適には、各々のヒンジが、本実施形態では、フィルムヒンジとして構成され、円弧形状に直接接続することである。換言すれば、前記ロック部材の前記フィルムヒンジは、好適にはそれ自体前記ロック部材の一部であり、前記クランプ部材の前記フィルムヒンジは、好適にはそれ自体前記クランプ部材の一部である。
【００１６】
本発明に係る電気プラグコネクタ（内部に受容された少なくとも一つの電気コンタクト部材と好ましくは電気コンタクトへ電気接続されるケーブルを含むプラグコネクタハウジング）において、前記ロック部材は、少なくとも１つのコンタクト部材と係合する。本発明において、前記ロック部材の突起は、前記電気コンタクト部材の凹部へ突出する。
【００１７】
好適には、前記ロック部材は、前記プラグコネクタハウジングの外部に配置され、前記ロック部材の突起は、コンタクトチャンバ壁内の貫通凹部（ｔｈｒｏｕｇｈ-ｒｅｃｅｓｓ）を通じて前記ロック位置に部分的に突出する。前記突起のこの部分は、電気コンタクト部材と結合するように作用する。さらに、このことは、前記突起の縁部は前記貫通凹部の縁部表面に係合して、前記プラグコネクタハウジング上の前記ロック部材の係合をより好適に可能とする。加えて、さらに前記ロック部材の前記プラグコネクタハウジングとの固定へのロックおよび／または位置決めが提供される。
【００１８】
本発明に係るクランプ部材（好適には前記ロック部材に統合されている）は、ケーブルをクランプするクランプ手段を有する。このクランプ手段は、好適には、少なくとも１つのクランプ溝を有するくし状部として構成される。さらには、前記クランプ部材は、前記プラグコネクタハウジングの一部とクランプ位置で相互作用し、それゆえに、前記クランプ部材または前記プラグコネクタハウジング上に前記ケーブルをクランプまたは固定する。
【００１９】
本発明の好適な実施形態において、前記クランプ手段は、略直角で前記クランプ部材の前記タブから突出する。クランプ位置において、前記突出したクランプ手段は、前記電気コンタクト部材が受容される１以上のコンタクトチャンバにアクセスする領域と一部重複する。この実施形態に係る一部重複は、前記クランプ手段を前記ケーブルの前記領域に挿入できる。クランプ位置において、前記クランプ部材は、より好適には前記プラグコネクタハウジングに支持される前記ロック部材に直接的に隣接して（好適には少なくとも部分的に）配置されている。この場合、前記クランプ手段は、前記プラグコネクタハウジングに統合されている前記ロック部材の一部と重複する。
【００２０】
本発明の一実施形態において、前記クランプ部材は、前記プラグコネクタハウジングに好適には前記クランプ手段によって、前記クランプ位置にロックまたは固定される。このことによって、前記クランプ部材は前記プラグコネクタハウジングに固定可能となり、それゆえに前記ケーブルの移動を全体として前記固定部材に伝えてしまうことを防止できる。前記クランプ部材は、その構成において好適には堅牢であり、それゆえに前記ケーブルを前記プラグコネクタハウジングに固定し、それゆえに前記ケーブルの移動が前記電気コンタクト部材に伝わることを防止できる。さらに前記クランプ部材は、例えばロックなどによって、前記プラグコネクタハウジング、および／または前記ロック部材に固定される。
【００２１】
本発明の好適な実施形態において、前記クランプ手段は、ケーブルがクランプ可能な少なくとも１つのクランプ溝を備える。この場合、前記クランプ溝は、信頼性のある前記ケーブル、すなわちケーブルの電気的絶縁体とクランプ可能に構成される。このことは、前記溝の幅が前記ケーブルの直径よりも僅かに小さくなるように構成されているという事実上の結果としてか、あるいは、前記ケーブルがある力の程度で挿入されるテーパ溝によってかのどちらかによってなされる。
【００２２】
本発明の好適な実施形態において、前記クランプ手段は、交互にクランプ溝と指状部（好適には部分的に弾力性指状部）があるくし状に構成されている。弾力性指状部は溝内にケーブルを有効にクランプできる。さらに、一方でこれら突起がケーブルをクランプし、もう一方でこれら突条の前記溝から出てしまうことを防止するようにして、前記溝の方向に内部に突出する突部が前記指状部に備えられてもよい。さらには、ロック凹部は、前記溝の前記端部に、すなわち指上部に設けることができ、凹部は、少なくとも部分的にはケーブルを収容し、それゆえにケーブルをクランプするようにして二つの直接的に隣接した指状部に形成される。さらに例えば、別の形態の係合が、クランプ手段上の摺動などによって付加的に用いられる。加えて、前記クランプ手段でクランプされている領域で前記ケーブルを薄くすることが可能であり、一方で前記ケーブルをクランプし続けるように前記溝や前記指状部は適応され、もう一方では、ケーブルの薄肉化は垂直方向（製造中に電気コンタクト部材が挿入される方向）で指状部上にケーブルがクランプされるようにする。
本発明のさらなる実施形態は、他の従属項に参照される。本発明は、以下例示的な実施形態と付加的な図面によって説明される。
【図面の簡単な説明】
【００２３】
【図１】図１は、本発明に係るプラグコネクタハウジングとコネクタ位置保証部材を示す電気プラグコネクタの分解斜視図である。
【図２】図２は、図１のプラグコネクタハウジングの平面図である。
【図３】図３は、受容される電気コンタクト部材を備えるプラグコネクタハウジングの断面図である。
【図４】図４は、相手電気プラグコネクタと嵌合前の電気プラグコネクタの斜視図である。
【図５】図５は、相手電気プラグコネクタと嵌合の際の電気プラグコネクタの断面斜視図である。
【図６】図６は、相手電気プラグコネクタに仮係止された電気プラグコネクタの断面斜視図である。
【図７】図７は、相手電気プラグコネクタに本係止された電気プラグコネクタの断面斜視図である。
【発明を実施するための形態】
【００２４】
本発明は、４ピン電気プラグコネクタ１００用のプラグコネクタハウジング１０１についてより詳細に開示される。電気プラグコネクタ１００には、ソケットコンタクトの形態として、４本の電気コンタクト部材１０が受容されている。本発明に係る電気プラグコネクタ１００は、自動車のステアリングカラムやクロックスプリングへのエアバックの電気的接続、エアバックの電気接続用に適切となるように構成されている。
【００２５】
しかし、本発明は、そのような実施形態に限られるものではなく、プラグ、相手プラグコネクタハウジング、電気プラグ、相手電気プラグコネクタに幅広く適用される。それゆえに、ソケットコンタクトに代えて、本発明に係るプラグコネクタハウジング１０１内にピンコンタクトを備えることもできる。さらには、電気プラコネクタハウジング１０１内の電気コンタクト部材１０の本数は可変である。さらには、電気プラグコネクタ１００の、図４〜７で示される相手電気プラグコネクタ２００からコネクタ位置保証部材３００を省略してもよい。原理的に、本発明は、固定された電気コンタクト部材１０からケーブル３０の移動防止可能な実施形態全てに適用可能である。
【００２６】
図面（特に図１、３および４）には、本発明に係る電気プラグコネクタ１００（図３および７参照）用の本発明に係るプラグコネクタハウジング１０１の実施形態が示される。この場合、電気プラグコネクタ１００は、プラグコネクタハウジング１０１と受容される少なくとも１本の電気コンタクト部材１０、電気コンタクト部材１０により電気的に接続されているケーブル３０を好適には含んでいる。
【００２７】
本発明の実施形態において、前記電気プラグコネクタ１００は、エアバックの電気的クロックスプリング接続用の４ピンプラグコネクタとして構成される。しかし、任意の所望本数の電気コンタクト部材１０を電気プラグコネクタ１００に備えることが可能であり、さらに本発明の好適な実施形態ではエアバックの電気連結器用の５ピンプラグコネクタである。
【００２８】
プラグコネクタハウジング１０１は、プラグコネクタハウジング１０１の長手方向軸Ｌに対して長手横側に設けられたコネクタ位置保証部材３００用のレセプタクル１３０を備えている。コネクタ位置保証部材３００は、図４から７に示される相手電気プラグコネクタ２００上の電気プラグコネクタ１００と係合するのに有用である。
【００２９】
さらには、前記プラグコネクタハウジング１０１は、カラー（ｃｏｌｌａｒ）１４０を備える。カラー１４０は、相手電気プラグコネクタ２００と共に、相手電気プラグコネクタ２００への電気プラグコネクタ１００の強固な固定として機能する。この目的のために、カラー１４０および相手電気プラグコネクタハウジング２０１（図４参照）は、互いに対応した溝や突起などを有している。実施例では、カラー１４０は、プラグコネクタハウジング１０１の長手横側にカラー１４０はコネクタ位置保証部材３００用のレセプタクル１３０の逆側に備えられる。実施形態において、カラー１４０はプラグコネクタハウジング１０１の下側１０３から上側に延び、プラグコネクタハウジングの高さの約１／３までであり、それゆえに図２で示されるプラグコネクタハウジング１０１の周囲に少なくとも９０°から１８０°で取り囲んでいる。本発明の他の実施形態において、カラー１４０は可能な限り、プラグコネクタハウジング１０１の全部を取り囲むように備えられることが好ましい。換言すれば、カラー１４０は、プラグコネクタハウジング１０１の側面に沿って配置されたレセプタクル１３０の周囲に延びているとも言える。
【００３０】
本発明に係る固定部材１１０は、電気コンタクト部材１０に電気的に接続されたケーブル３０とソケットコンタクトとして構成されている電気コンタクト部材１０を同時に固定するのに有用であるが、プラグコネクタハウジング１０１上に配置されている。換言すれば、本発明に係る固定部材１１０は、一方で電気コンタクト部材１０がプラグコネクタハウジング１０１内に固定されるように、かつ、もう一方で電気コンタクト部材１０に接続されるケーブル３０がプラグコネクタハウジング１０１へ固定されるようにされている。
【００３１】
図１から図３には、本発明に係る第１および第２開位置にある固定部材１１０が示され、図４から７には、固定位置（ロック位置およびクランプ位置、以下参照）における本発明に係る固定部材１１０が示される。
【００３２】
図３に示されるように、固定部材１１０は、プラグコネクタハウジング１０１と物質的に１部材に一体化されて構成される。しかし、外部パーツとして固定部材１１０を生産してもよく、電気コンタクト部材１０とケーブル３０との固定するために、プラグコネクタハウジング１０１上に従ってこの外部パーツを配置できる。それゆえに、例えばベアリングによるなど例えばプラグコネクタハウジング１０１に対して回動可能なように固定部材１１０を提供することが可能である。
【００３３】
この場合、固定部材１１０は、好適にはフィルムヒンジとして構成される第一ヒンジ１１２によって、プラグコネクタハウジング１０１に接続される。第一ヒンジ１１２は、固定部材１１０のロックタブとして構成されているロック部材１１４をプラグコネクタハウジング１０１にマウントする。この場合、ベアリングは好適にはプラグコネクタハウジング１０１の上側１０２に構成されている。
【００３４】
固定部材１１０のロック部材１１４は、図３に参照されるプラグコネクタハウジング１０１のコンタクトチャンバ１５０内の電気コンタクト部材１０との係合に貢献する。この目的で、ロック部材１１４は、電気コンタクト部材１０内の対応するロック表面の凹部１８と係合可能なロックラグ１１８を備える。換言すれば、ロック部材１１４すなわち固定部材１１０の固定位置において、ロックラグ１１８は、コンタクトチャンバ１５０内またはプラグコネクタハウジング１０１内の電気コンタクト部材１０をロックする。ロックラグ１１８は、電気コンタクト部材１０中のロック表面の凹部１８まで進むことができるようにするために、プラグコネクタハウジング１０１のそれぞれの位置には、コンタクトチャンバ１５０の壁１５２の領域内に貫通凹部１５８を備える。貫通凹部１５８を通じて、ロックラグ１１８の自由長手端部は、コンタクトチャンバ１５０内に突出し、それゆえにロックラグ１１８がコンタクトチャンバ１５０内の電気コンタクト部材１０に係合可能である。
【００３５】
ロック部材１１４は、その構成で好ましくはタブ状にされ、ロックラグ１１８は、ロック部材１１４の図１に示される全幅Ｂに沿って好適には延びている。この場合、ロックラグ１１８は、好ましくは留め具（ｃａｔｃｈ）としてロック部材１１４の平面上から突出する。ロックラグ１１８は、好適にはロック部材１１４の長手端に位置されている。
【００３６】
コンタクトチャンバ１５０からロックラグ１１８の不意なずり落ちおよび電気コンタクト部材１０の係合不備を防止するために、ロックラグ１１８は、コンタクトチャンバ１５０の端部１５９とロックする形成された端部１１９を有する。この場合、少なくとも端部１５９の部分は、図３および５に参照されるように壁１５２の内部部分として構成される。換言すれば、本発明によれば、ロックラグ１１８は、コンタクトチャンバ１５０のコンタクトチャンバ壁１５２と係合し、同時にプラグコネクタハウジング１０１内の電気コンタクト部材１０とも係合する。さらには、端部１５９は、互いに隣接したコンタクトチャンバ１５０間をプラグコネクタハウジング１０１内まで延びている。
【００３７】
ロック部材１１４は、好ましくは図１の全幅Ｂに亘ってロック部材１１４から延びる突起１１６を有し（図１参照）、プラグコネクタハウジング１０１内で対応するロック表面内の凹部１０６に係合する。明らかに、突起１１６がプラグコネクタハウジング１０１上に位置し、凹部１０６がロック部材１１４内に配置されるという逆の状況も可能である。この場合、突起１１６および凹部１０６は、ロック位置で回転防止され、少なくとも長手方向Ｌにプラグコネクタハウジング１０１へ固定されるようにロック部材を位置させるのに有用である。この場合、突起１１６および凹部１０６の端部は、互いに係合可能である。
【００３８】
さらに、本発明に係る固定部材１１０は、ロック部材１１４に加えて、クランプ部材１２２を有する。この場合、本発明に係るクランプ部材１２２はロック部材１１４に対して回動可能であり、クランプタブとして構成されている。この回動は、好適にはフィルムヒンジとして構成されるような好適には第二ヒンジ１２０を介して行われる。しかし、ロック部材１１４から分離してクランプ部材１２２を構成することも可能であり、ベアリングを介して回動可能なようにロック部材１１４上にクランプ部材１２２を構成することも可能である。
【００３９】
好適には、ロック部材１１４上のクランプ部材１２２のマウントは、ロックラグ１１８を基準として逆側にあるロック部材１１４の側に設置される。この設置は、ロックラグ１１８を基準として逆側にあるロック部材１１４の表面の任意の所望位置に設置される。しかし、好適には、クランプ部材１２２はロック部材１１４の一端と接続され、ロックラグ１１８は、ロック部材１１４の逆側（図３で示される断面図参照）に備えられる。この場合、クランプ部材１２２は、ロック部材１１４の端部と接続し、好適にはＵ字形状で物質的に１部材である。第二ヒンジ１２０は、Ｕ字形状部の一部である。クランプ部材１２２は、第二ヒンジ１２０と接続する。第二ヒンジ１２０を基準とした逆側でクランプ部材１２２の一端では、クランプ部材１２２は、クランプ手段１２６を備える。
【００４０】
本発明の図示された実施形態において、クランプ部材１２２は自由端部を形成し、ロック部材１１４は固定部材１１０の結合端部を形成するが、これら関係は反転させられてもよい。この場合、クランプ部材１２２は、第一ヒンジ１１２を介してプラグコネクタハウジング１０１に、好適には物質的に１部材で接続され、ロック部材１１４は、固定部材１１０の自由端部として作用し、第二ヒンジ１２０を介してクランプ部材１２２に、好適には物質的に１部材で接続される。
【００４１】
本発明に係るクランプ手段１２６は、電気コンタクト部材１０のケーブル３０（図７参照）がプラグコネクタハウジング１０１に固定可能とされ、その結果、ケーブル３０の移動が防止され、もはや電気コンタクト部材１０へ伝わらないようにされる。この場合、ケーブル３０からの力は、クランプ手段１２６を介してプラグコネクタハウジング１０１内へ、クランプ部材１２２およびロック部材１１４を介してプラグコネクタハウジング１０１内へ案内される。前者において、クランプ手段１２６は、プラグコネクタハウジング１０１上の突起１０９およびクランプ部材１２２上の突起１２９によって、プラグコネクタハウジング１０１へ直接固定され、後者は、力がロック部材１１４の突起１１６およびプラグコネクタハウジング１０１内のロック表面（凹部）１０６の区画を介してプラグコネクタハウジング１０１へ案内される。
【００４２】
クランプ手段１２６は、ケーブル３０と固定可能に構成されている。この固定は、例えばクランプ手段１２６とプラグコネクタハウジング１０１上の対応箇所によってケーブル３０がクランプされることにより実施可能である。ケーブル３０は溝１２７にクランプ可能な指状部１２８と溝１２７とを備えるくし状のクランプ手段１２６も構成可能である。
【００４３】
この場合、溝１２７の各々は、ケーブル３０またはケーブル３０の絶縁膜が溝１２７内に信頼性高く固定できるように構成されている。この目的のために、溝１２７の幅は、例えば、ケーブル３０の外径よりも僅かに狭い。さらには溝１２７をＶ字形状に形成し、溝１２７内への挿入により、ケーブル３０を強固にクランプできる。さらに、図示しない突起は、突起の後ろでケーブル３０がクランプ可能とされ、指状部１２８の横に備えられる。このことは、例えば、指状部１２８に備えられた図示しない凹部によって可能となる。図示しない突部または図示しない凹部は指状部１２８上に存在すると、図示しない突部または図示しない凹部は、プラグコネクタハウジング１０１の横方向（溝１２７の幅方向）に互いに直接互いに対向して配置される。
【００４４】
クランプ部材１２２のクランプ手段１２６は、クランプ部材１２２のタブの一端から好適には約９０°で突出し、クランプ位置（図４〜７参照）でプラグコネクタハウジング１０１のロック部材１１４のマウントと一部重複する。さらに、クランプ位置および固定部材１１０のロック位置で、クランプ部材１２２は、プラグコネクタハウジング１０１に部分的に当接しているロック部材１１４と当接している。本発明によれば、ロック部材１１４とクランプ部材１２２の両者は、一方で、もう一方の上に一方が、もう一方では、プラグコネクタハウジング１０１上にとなるように、互いに折りたたみ可能な折りたたみ蓋として各々が構成されている。
【００４５】
ロック部材１１４とクランプ部材１２２の開位置では、図１と図３に最も明確に見られるように、クランプ手段１２６、クランプ部材１２２、第二ヒンジ１２０、ロック部材１１４、第一ヒンジ１１２および第一ヒンジ１１２と接続するプラグコネクタハウジング１０１の一部は、プラグコネクタハウジング１０１の長手軸Ｌに沿った断面において（図３参照）、約Ｓ字状になるように備えられている。固定部材１１０のジグザグ形状構成の結果として、単一操作で、電気コンタクト部材１０がプラグコネクタハウジング１０１にロックされ、かつケーブル３０がプラグコネクタハウジング１０１に強固にクランプされることの両方が同時に可能となる。この場合、力は単にロック部材１１４の一端およびクランプ部材１２２の一端にかかるのである。クランプ部材１２２を簡単に取り扱うために、クランプ部材１２２は、そこから突出する係合部の形態として、作動部材１２４を備え、作動部材１２４は、相手プラグコネクタハウジング２０１上でのプラグコネクタハウジング１０１の停止部として作用する（図７参照）。
【００４６】
クランプ部材１２２のクランプ位置において、それゆえに好適にはロック部材１１４のロック位置においても、クランプ手段１２６は、プラグコネクタハウジング１０１の上側１０２に好適にロックする。クランプ手段１２６上に好適には一体構成された突起１２９を介して好適になされ、プラグコネクタハウジング１０１の肩または突起１０９に支えられ、それゆえに、クランプ手段１２６をプラグコネクタハウジング１０１にさらに固定する。好適にはクランプとして構成されているこの接続を介して、ケーブル３０からの力はプラグコネクタハウジング１０１内に直接案内されるプラグコネクタハウジング１０１にクランプ手段１２６を固定する際に相互作用する突起１０９と突起１２９は、具体的には非インターロック位置では図２に示される。
【００４７】
さらに、プラグコネクタハウジング１０１は、歯状として構成される突起１０８を上側１０２に備えることができ、指状部１２８の長手端または長手端部は、互いに直接隣接した二つの突起１０８間に配置される（特に図１および４参照）。この場合、突起１０８は、指状部１２８の位置決め効果があり、指状部１２８をクランプする。換言すれば、互いに直接隣接した突起１０８は、指状部１２８がクランプされるように一定の距離で配置されている。この場合、互いに対応するロック用の突起およびロック用の凹部は指状部１２８または突起１０８にさらに備えられてもよい。このことにより、指状部１２８を介してのケーブル移動から突起１０８およびプラグコネクタハウジング１０１への力の効果的な導入が保証される。
【００４８】
相手電気プラグコネクタ２００と本発明に係る電気プラグコネクタ１００の嵌合の様子が図４〜７に詳細に示される。この場合、電気プラグコネクタ１００は、そこに受容される図示しない４個のソケットコンタクトと、ソケットコンタクトとして形成された電気コンタクト部材１０と電気的に接続されている図７に示されるケーブル３０とを備えている。この場合、ケーブル３０は、絶縁体（ｉｎｓｕｌａｔｉｏｎ  ｃｒｉｍｐ）１２（図３参照）を介して、例えば溶接・はんだづけ・圧着により、電気コンタクト部材１０の電気コンタクト領域１４（図３参照）へ機械的にかつ電気的に接続される。この場合、固定部材１１０は、ロック部材１１４とクランプ部材１２２から構成されており、ロック位置とクランプ位置の両方にある。結果として、電気コンタクト部材１０がロック部材１１４によってプラグコネクタハウジング１０１内にロックされ、ケーブル３０が第一ヒンジ１１２によって回動されるクランプ部材１２２によってプラグコネクタハウジング１０１に固定されることになる。
【００４９】
相手電気プラグコネクタ２００の相手電気プラグコネクタハウジング２０１は、電気プラグコネクタ１００のプラグコネクタハウジング１０１とその構成において対応し、電気プラグコネクタ１００と相手電気プラグコネクタ２００は、共同して本発明に係る電気プラグイン接続体１を形成する。相手プラグコネクタハウジング２０１は、本発明に係る固定部材１１０を備えてもよい。ピンコンタクトとして構成された電気コンタクト部材２０（図５〜７参照）は、電気プラグコネクタ１００の電気コンタクト部材１０に対応する方法で、相手プラグコネクタハウジング２０１内に受容される。
【００５０】
図４には、電気プラグコネクタ１００が相手電気プラグコネクタ２００へ挿入される際の開始位置が示される。この場合、コネクタ位置保証部材３００は、レセプタクル１３０内の仮係止位置に受容され、そこで部分的に挿入される（図５および６参照）。しかし、一旦、電気プラグコネクタ１００が相手電気プラグコネクタ２００と嵌合した後のみに、レセプタクル１３０内にコネクタ位置保証部材３００を配置することもできる。
【００５１】
図５は、相手電気プラグコネクタ２００と部分的に装着されている電気プラグコネクタ１００が示されており、電気コンタクト部材１０、２０は、互いに機械的に接続前である。さらに、図５には、コンタクトチャンバ１５０内のロックラグ１１８のロックが明確に示される。この場合、ロックラグ１１８の端部１１９、１５９と貫通凹部１５８またはコンタクトチャンバ壁１５２は互いに当接する。
【００５２】
図６には、相手電気プラグコネクタ２００の仮係止位置での電気プラグコネクタ１００が示され（コネクタ位置保証部材３００は、この場合、未だに仮係止位置にある）、電気コンタクト部材２０は、電気コンタクト部材１０と既に電気的に接続可能である。この場合、レセプタクル１３０の留め部１６０は、レセプタクル１３０内に横に沿って移動可能なように配置され、プラグコネクタハウジング１０１は、相手プラグコネクタハウジング２０１の突起２６０上に保持される。留め部１６０は、図５〜７に示されるようにその支持される位置でその構成上弾性があれば好適である。さらに、コネクタ位置保証部材３００の固定タブ３６０の固定突起３６２は、仮係止位置で留め部１６０に支持されている。
【００５３】
コネクタ位置保証部材３００の主要目的は挿入およびロックの際、電気プラグコネクタ１００と相手電気プラグコネクタ２００が正確にインターロックされることを保証することである。この場合、本係止位置（図７参照）に仮係止位置（図５および６）からコネクタ位置保証部材３００を移行させることが唯一可能であるから、仮係止位置において、好ましくは固定突起３６２を備える固定タブ３６０と留め部１６０は、電気プラグコネクタ１００が相手電気プラグコネクタ２００上の適切なプラグイン位置である場合のみ、レセプタクル１３０内へコネクタ位置保証部材３００が完全に挿入可能とされ、ロックが解除可能となるようにインターロックされる（すなわち、レセプタクル１３０内のコネクタ位置保証部材３００のロック位置は、突起２６０と留め部１６０との互いに補完する表面２６２、１６２によって決められる）。仮係止位置において、他方では、固定突起３６２と留め部１６０は、互いに相互に対応する固定表面３６３，１６３で当接し、コネクタ位置保証部材３００がレセプタクル１３０内へ挿入される方向に互いにブロックする。
【００５４】
固定突起３６２は、コネクタ位置保証部材３００の固定タブ３６０の長手方向の自由端部に構成され、さらに、相手電気プラグコネクタ２００上の電気プラグコネクタ１００の図７に示されるプラグイン位置において留め部１６０、およびプラグコネクタハウジング１０１が、電気プラグコネクタ１００が相手電気プラグコネクタ２００から取り外しされるおそれがある開位置への移動を防止する。
【００５５】
相手電気プラグコネクタ２００へ電気プラグコネクタ１００が嵌合する間（図６から図７へ移行する場合）、プラグコネクタハウジング１０１の係合部１６０は、相手電気プラグコネクタハウジング２０１上の突起２６０の補助表面２６２に沿ってまずスライドし、突起２６０を完全に超えると支持位置へ戻る（図６および図７参照）。固定タブ３６０の固定突起３６２と固定タブ３６０の長手方向の端部も共に移動する。突起２６０を一旦経過すると、固定突起３６２が係合部１６０の補助表面１６２上をスライド可能である。突起２６０と突起２６０の後部の留め部１６０の跳ね返り（ｓｎａｐｐｉｎｇ−ｂａｃｋ）によって、留め部１６０上へ固定表面３６３が乗り上がり、固定表面３６３が留め部１６０の補助表面１６２上をスライド可能としている。このことは、留め部１６０と突起２６０が、”共通”表面、すなわち両者の結合部で、実質的に同じ高さにあることによって機能する。一旦、留め部１６０を超えると、固定突起３６２はロック位置で留め具１６０の後部にスナップ係合する（図７参照）。
【００５６】
本位置で、コネクタ位置保証部材３００は、レセプタクル１３０内の本係止位置とされ、電気プラグコネクタ１００は、相手電気プラグコネクタ１００から取り外されることはもはやない。本位置において、コネクタ位置保証部材３００は、例えばロックラグ３３２によって、レセプタクル１３０内または上の肩１３２上にロックする。仮係止位置において、コネクタ位置保証部材３００は、好適には図１に示されるロックフック３１０で、レセプタクル１３０内にロックする。レセプタクル１３０内のコネクタ位置保証部材３００の二つのロック（ロックラグ３３２と肩１３２、ロックフック３１０とレセプタクル１３０）によって、コネクタ位置保証部材３００は、一方で、仮係止位置において、レセプタクル１３０からの脱離しないように保護され、もう一方で、本係止位置に係合される。
【００５７】
コネクタ位置保証部材３００をプラグコネクタハウジング１０１のレセプタクル１３０内へ挿入、または、レセプタクル１３０から取り外す機能のために、ロックフック３１０と一体構成されている円弧部（ａｒｃ）３１２（図１参照）は、固定タブ３６０と接続されず、タブ３６０はロックホック３１０に対して移動可能であるようにするためにむしろ分離して配置される。タブ３６０がその後上げられたとしても、円弧部３１２との係合位置から、互いへ移動可能であり、レセプタクル１３０内のコネクタ位置保証部材３００の係合解除を可能とする。
【００５８】
コネクタ位置保証部材３００は、さらに相手電気プラグコネクタ２００から電気プラグコネクタ１００を取り外すのに困難とする。望ましいならば、コネクタ位置保証部材３００は、図４〜６で示される位置へ戻させられる。第一に、この場合、レセプタクル１３０とのコネクタ位置保証部材３００の係合が係合解除され、その後、固定タブ３６０の固定突起３６２は、プラグコネクタハウジング１０１の留め具１６０を介して移動させられる。この場合、固定突起３６２と留め具１６０との機械的接触は、好適には、完全なロック接続としてではなく、むしろ電気プラグイン接続体１の長手方向Ｌに構成された２つの斜め表面の当接として構成されている。その後、コネクタ位置保証部材３００の仮係止位置で、ロックフック３１０は、レセプタクル１３０上／内の図示しない凹部または図示しない突起の接触表面と再係合する。その後、留め部１６０は、相手電気プラグコネクタハウジング２０１の突起２６０から係合解除されるようになる。好適には、コネクタ位置保証部材３００は、レセプタクル１３０から取り除かれることなく、むしろ仮係止位置（４．５ｍｍ）に留まる。
【００５９】
プラグコネクタハウジング１０１、および／または、レセプタクル１３０、および／または、レセプタクル１３０から突出するコネクタ位置保証部材３００の一部に作用する横方向（電気プラグイン接続体１の長手軸Ｌに対して垂直方向）の力によって、留め部１６０と突起２６０間の係合は解除可能とされ、それゆえに電気プラグコネクタ１００は、相手電気プラグコネクタ２００から取り外し可能とされる。本目的のために、留め部１６０が、好適には物質的に１部材で、少なくとも１つのトーションバー（図示せず）でプラグコネクタハウジング１０１および／またはレセプタクル１３０へ接続されている。したがって、横方向の力によって、留め部１６０と固定用タブ３６０の自由端部（固定突起３６２）は、相手電気プラグコネクタ２００の突起２６０を介しての好適には２つのトーションバーを介して移動されることになる。
【００６０】
本発明は、対応するロック部材またはロック表面（１１８，１１６，１２８，１２９，１０６，１８，１５９，１０９，３３２，１１８，１１９，２６０，３６３，１６０，１３０，１３２，１６０）と相互作用する多くのロック部材またはロック表面（１８，１０６，１０８，１０９，１１６，１１８，１１９，１２９，１３２，１５８，１５９，１６０，１６３，２６０，３１０，３３２，３６２）を有する。それゆえに、固定ロック位置、クランプ位置、本発明に係る係合などを構成しまたは実現する。明らかに、ロック部材またはロック表面（１８，１０６，１０８，１０９，１１６，１１８，１１９，１２９，１３２，１５８，１５９，１６０，１６３，２６０，３１０，３３２，３６２，３６３）または実施形態に記載された以外にもロック部材またはロック部材またはロック表面の組み合わせ（１８／１１８，１０６／１１６，１０８／１２８，１０９／１２９，１０９／１０８／１２８,１１０／１０１,１１４／１０１,１１９／１５９，１２２／１０１,１２６／３０,１２７／３０,１２８／３０,１３２／３３２，１５８／１１８，１６０／２６０，１６０／３６２，１６３／３６３，３００／１３０,３００／１０１,３００／２０１,３１０／１３０，３３２／１３２，３６０／１３０，３６０／３１２，３６０／３１０）を採用することが可能である。さらには、力学的にはそれぞれのロックの逆構成も可能である。換言すれば、例えば、ロック突起とロック凹部、ロック凹部とロック突起、または共にロック可能な肩は置換可能である。
【００６１】
本発明の実施形態について、コネクタ位置保証部材３００があるまたは無しの形態も可能である。後の方の実施形態において、プラグコネクタハウジング１０１がレセプタクル１３０を備えないことが好適であり、さらに好ましくは、カラー１４０がプラグコネクタハウジング１０１の実質的に全体に巻かれている形態である。
【符号の説明】
【００６２】
１・・・電気プラグイン接続体
１０・・・電気コンタクト部材
３０・・・ケーブル
１００・・・電気（プラグ）コネクタ
１０１・・・プラグコネクタハウジング
１１０・・・固定部材
１１２・・・第一ヒンジ
１１４・・・ロック部材
１１８・・・ロックラグ
１２０・・・第二ヒンジ
１２２・・・クランプ部材
１２６・・・クランプ手段
１２７・・・溝
１２８・・・指状部
１５２・・・コンタクトチャンバ壁
１５８・・・貫通凹部（ｔｈｒｏｕｇｈ−ｒｅｃｅｓｓ）
２００・・・相手電気プラグコネクタ
【図１】
2010529605.tif 000003
【図２】
2010529605.tif 000004
【図３】
2010529605.tif 000005
【図４】
2010529605.tif 000006
【図５】
2010529605.tif 000007
【図６】
2010529605.tif 000008
【図７】
2010529605.tif 000009
【国際調査報告】
2010529605.tif 000010
2010529605.tif 000011
2010529605.tif 000012